(57)【要約】  エリア人気度算出装置１は、地図上のエリアを示すエリア情報を取得する取得部１０と、取得されたエリア情報が示す対象エリアに含まれるＰＯＩ（Point  Of  Interest）を特定する特定部１１と、特定されたＰＯＩに対応付けられたＰＯＩ人気度に基づいて対象エリアの人気度を算出する算出部１２と、を備える。エリア人気度算出装置１Ａの算出部１２Ａは、イベントの件数を、イベントそれぞれが実施されているＰＯＩに対応づけられているＰＯＩ人気度に基づく重み付けを行って算出し、算出された件数に基づいて人気度を算出する。エリア人気度算出装置１Ｂの算出部１２Ｂは、ＰＯＩの件数を、ＰＯＩそれぞれの所定の時期に対応付けられたＰＯＩ人気度に基づく重み付けを行って算出し、算出された件数に基づいて人気度を算出する。
2019207961.tif 000002
【特許請求の範囲】
【請求項１】
地図上のエリアを示すエリア情報を取得する取得部と、
前記取得部によって取得されたエリア情報が示す対象エリアに含まれるＰＯＩ（Point  Of  Interest）を特定する特定部と、
前記特定部によって特定された前記ＰＯＩに対応付けられたＰＯＩ人気度に基づいて前記対象エリアの人気度を算出する算出部と、
を備えるエリア人気度算出装置。
【請求項２】
前記特定部は、前記対象エリア内で実施されているイベントをさらに特定し、
前記算出部は、前記特定部によって特定された前記イベントにさらに基づいて前記人気度を算出する、
請求項１に記載のエリア人気度算出装置。
【請求項３】
前記算出部は、前記イベントの件数を、前記イベントそれぞれが実施されている前記ＰＯＩに対応づけられている前記ＰＯＩ人気度に基づく重み付けを行って算出し、算出された前記件数に基づいて前記人気度を算出する、
請求項２に記載のエリア人気度算出装置。
【請求項４】
前記ＰＯＩ人気度は、日ごとに対応付けられており、
前記算出部は、前記重み付けを行う際に、前記イベントそれぞれが実施されている期間の各日に対応づけられている前記ＰＯＩ人気度に基づく重み付けを行う、
請求項３に記載のエリア人気度算出装置。
【請求項５】
前記算出部によって算出された前記人気度に基づく表示を行う表示部をさらに備え、
前記表示部は、算出された前記件数に応じた表示を行う、
請求項３又は４に記載のエリア人気度算出装置。
【請求項６】
前記算出部によって算出された前記人気度に基づく表示を行う表示部をさらに備え、
前記表示部は、前記イベントが実施されている期間に関する情報をさらに表示する、
請求項２〜５の何れか一項に記載のエリア人気度算出装置。
【請求項７】
前記算出部は、前記イベントのカテゴリごとに前記人気度を算出する、
請求項２〜６の何れか一項に記載のエリア人気度算出装置。
【請求項８】
前記ＰＯＩ人気度は、時期ごとに対応付けられており、
前記算出部は、前記ＰＯＩの件数を、前記ＰＯＩそれぞれの所定の時期に対応付けられた前記ＰＯＩ人気度に基づく重み付けを行って算出し、算出された前記件数に基づいて前記人気度を算出する、
請求項１に記載のエリア人気度算出装置。
【請求項９】
前記算出部によって算出された前記人気度に基づく表示を行う表示部をさらに備え、
前記表示部は、算出された前記件数に応じた表示を行う、
請求項８に記載のエリア人気度算出装置。
【請求項１０】
前記算出部によって算出された前記人気度に基づく表示を行う表示部をさらに備え、
前記表示部は、所定の基準より高い前記ＰＯＩ人気度が対応付けられた前記ＰＯＩに関する情報を表示する、
請求項１〜９の何れか一項に記載のエリア人気度算出装置。
【発明の詳細な説明】
【技術分野】
【０００１】
地図上のエリアの人気度を算出するエリア人気度算出装置に関する。
【背景技術】
【０００２】
下記特許文献１には、ＰＯＩ（Point  Of  Interest）の人気の高さを示す人気度を算出するナビゲーションシステムが開示されている。
【先行技術文献】
【特許文献】
【０００３】
【特許文献１】特開２０１７−１６６９８０号公報
【発明の概要】
【発明が解決しようとする課題】
【０００４】
上記ナビゲーションシステムは、ＰＯＩの人気度は算出できるが、例えば、地図上の所定のエリアの正確な人気度を算出することはできない。【０００５】
そこで、かかる課題に鑑みて為されたものであり、エリアのより正確な人気度を算出することができるエリア人気度算出装置を提供することを目的とする。
【課題を解決するための手段】
【０００６】
上記課題を解決するため、本発明の一側面に係るエリア人気度算出装置は、地図上のエリアを示すエリア情報を取得する取得部と、取得部によって取得されたエリア情報が示す対象エリアに含まれるＰＯＩを特定する特定部と、特定部によって特定されたＰＯＩに対応付けられたＰＯＩ人気度に基づいて対象エリアの人気度を算出する算出部と、を備える。【０００７】
このようなエリア人気度算出装置によれば、地図上のエリアの人気度を算出することができる。また、エリアに含まれるＰＯＩに対応付けられたＰＯＩ人気度に基づいてエリアの人気度を算出するため、例えば、ＰＯＩ人気度が高いＰＯＩを含むエリアの人気度は高くなり、ＰＯＩ人気度が低いＰＯＩを含むエリアの人気度は低くなる等、エリアのより正確な人気度を算出することができる。
【発明の効果】
【０００８】
エリアのより正確な人気度を算出することができる。
【図面の簡単な説明】
【０００９】
【図１】第１実施形態に係るエリア人気度算出装置の機能ブロック図である。
【図２】ＰＯＩカテゴリマスタのテーブル例を示す図である。
【図３】ＰＯＩマスタのテーブル例を示す図である。
【図４】ＰＯＩ人気度情報のテーブル例を示す図である。
【図５】第１実施形態に係るエリア人気度算出装置で実行される処理を示すフローチャートである。
【図６】第２実施形態に係るエリア人気度算出装置の機能ブロック図である。
【図７】イベントカテゴリマスタのテーブル例を示す図である。
【図８】イベント情報のテーブル例を示す図である。
【図９】人気度に基づく表示の表示例を示す図である。
【図１０】第２実施形態に係るエリア人気度算出装置で実行される処理を示すフローチャートである。
【図１１】第３実施形態に係るエリア人気度算出装置の機能ブロック図である。
【図１２】第３実施形態に係るエリア人気度算出装置で実行される処理を示すフローチャートである。
【図１３】本発明の実施形態に係るエリア人気度算出装置のハードウェア構成図である。
【発明を実施するための形態】
【００１０】
以下、図面とともにエリア人気度算出装置の実施形態について詳細に説明する。なお、図面の説明においては同一要素には同一符号を付し、重複する説明を省略する。また、以下の説明における実施形態は、本発明の具体例であり、特に本発明を限定する旨の記載がない限り、これらの実施形態に限定されないものとする。
【００１１】
［第１実施形態］
図１は、第１実施形態に係るエリア人気度算出装置１の機能ブロック図である。図１に示す通り、エリア人気度算出装置１は、取得部１０、特定部１１、算出部１２、ＰＯＩカテゴリマスタ格納部２０、ＰＯＩマスタ格納部２１及びＰＯＩ人気度格納部２２を含んで構成される。エリア人気度算出装置１は、サーバ等のコンピュータ装置である。
【００１２】
以下、図１に示すエリア人気度算出装置１の各機能ブロックについて説明する。先に、格納部について説明する。
【００１３】
ＰＯＩカテゴリマスタ格納部２０は、ＰＯＩのカテゴリ（ＰＯＩカテゴリ）のマスタデータのテーブルデータであるＰＯＩカテゴリマスタを格納する。ＰＯＩ（Point  Of  Interest）とは、ユーザが興味のある、地図上の特定のポイント（地点、施設、店舗、目標物等）である。本明細書では、ＰＯＩを主に施設として説明するが、これに限るものではない。図２は、ＰＯＩカテゴリマスタ格納部２０によって格納された、ＰＯＩカテゴリマスタのテーブル例を示す図である。図２に示すテーブル例の通り、ＰＯＩカテゴリマスタは、ＰＯＩカテゴリの名称（ＰＯＩカテゴリ名称）を含む。ＰＯＩカテゴリの名称の具体例として、図２に示すテーブル例の通り、「複合商業施設」、「イベント施設」及び「球場」等が挙げられる。
【００１４】
ＰＯＩマスタ格納部２１は、ＰＯＩのマスタデータのテーブルデータであるＰＯＩマスタを格納する。図３は、ＰＯＩマスタのテーブル例を示す図である。図３に示すテーブル例の通り、ＰＯＩマスタは、ＰＯＩの名称（ＰＯＩ名称）、当該ＰＯＩが位置する住所、当該ＰＯＩが位置する緯度及び経度、並びに当該ＰＯＩのＰＯＩカテゴリを対応付けて含む。なお、ＰＯＩマスタに含まれるＰＯＩカテゴリは、上述のＰＯＩカテゴリマスタのＰＯＩカテゴリ名称に紐付く。例えば、図３に示すＰＯＩマスタの１レコード目は、ＰＯＩ名称が「ＡＢＣショッピングモール」であり、ＰＯＩカテゴリが「複合商業施設」であるＰＯＩの住所が「東京都港区…」、並びに緯度及び経度が「３５．６５５５９３３０６，１３９．７５５０２３２４９」であることを示す。
【００１５】
ＰＯＩ人気度格納部２２は、ＰＯＩの人気度（ＰＯＩ人気度）のテーブルデータであるＰＯＩ人気度情報を格納する。人気度とは、ユーザ間での人気の度合を示す値であり、値が低いほど人気が無く、値が高いほど人気があることを示す。人気度は、事前に値の範囲が「０」以上かつ「１」以下となるように調整済みである。図４（ａ）、（ｂ）及び（ｃ）はそれぞれ、ＰＯＩ人気度情報のテーブル例を示す図である。本明細書では、ＰＯＩ人気度情報の３つのバリエーション（図４（ａ）、（ｂ）及び（ｃ））について説明する。図４（ａ）に示すＰＯＩ人気度情報は主に本第１実施形態で用い、図４（ｂ）に示すＰＯＩ人気度情報は主に第２実施形態で用い、図４（ｃ）に示すＰＯＩ人気度情報は主に第３実施形態で用いる。
【００１６】
図４（ａ）に示すテーブル例では、ＰＯＩ人気度情報は、ＰＯＩ名称、及び当該ＰＯＩのＰＯＩ人気度を対応付けて含む。なお、ＰＯＩ人気度情報に含まれるＰＯＩ名称は、上述のＰＯＩマスタのＰＯＩ名称に紐付く。例えば、図４（ａ）に示すＰＯＩ人気度情報の１レコード目は、ＰＯＩ名称が「ＡＢＣショッピングモール」のＰＯＩについて、人気度は「０．５」であることを示している。
【００１７】
図４（ｂ）に示すテーブル例では、ＰＯＩ人気度情報は、ＰＯＩ名称、当該ＰＯＩのＰＯＩ人気度を設定する対象日、及び当該ＰＯＩのＰＯＩ人気度を対応付けて含む。例えば、図４（ｂ）に示すＰＯＩ人気度情報の１レコード目は、ＰＯＩ名称が「ＡＢＣショッピングモール」のＰＯＩについて、「２０１８年１月１日」の人気度は「０．９」であることを示している。すなわち、図４（ｂ）に示すＰＯＩ人気度情報のバリエーションでは、ＰＯＩ人気度は、日ごとに対応付けられている。
【００１８】
図４（ｃ）に示すテーブル例では、ＰＯＩ人気度情報は、ＰＯＩ名称、当該ＰＯＩのＰＯＩ人気度を設定する対象期間、当該ＰＯＩのＰＯＩ人気度を設定する平日・休日種別、及び当該ＰＯＩのＰＯＩ人気度を対応付けて含む。例えば、図４（ｃ）に示すＰＯＩ人気度情報は、ＰＯＩ名称が「ＡＢＣショッピングモール」のＰＯＩについて、「２０１８年１月」のうち「平日」の人気度は「０．５」であり、「２０１８年１月」のうち「休日」の人気度は「０．８」であり、「２０１８年２月」のうち「平日」の人気度は「０．４５」であることを示している。対象期間及び平日・休日種別は時期でもある。すなわち、図４（ｃ）に示すＰＯＩ人気度情報のバリエーションでは、ＰＯＩ人気度は、時期ごとに対応付けられている。
【００１９】
取得部１０は、地図上のエリアを示すエリア情報を取得する。エリアとは、多角形、円、直線及び曲線等で囲まれた、面積を有する領域又は範囲等である。エリア情報の具体例として、例えばエリアが長方形で囲まれた領域である場合、エリアが長方形である旨の情報と、長方形の４つの頂点それぞれの緯度・経度とを含む情報が挙げられる。エリア情報が示すエリアの具体例として、エリア人気度算出装置１に対してネットワークを介してアクセス可能なユーザのクライアント端末において表示されている画面領域の全て又は一部、当該ユーザが指定した地図上のエリア、地図上の地区町村境界等が挙げられる。取得部１０は、取得したエリア情報を特定部１１に出力する。
【００２０】
特定部１１は、取得部１０によって取得（出力）されたエリア情報が示すエリア（対象エリア）に含まれるＰＯＩを特定する。例えば、エリア情報が、エリアが長方形である旨の情報と、長方形の４つの頂点それぞれの緯度・経度とを含む情報である場合、特定部１１は、ＰＯＩマスタ格納部２１によって格納されたＰＯＩマスタのうち、緯度及び経度が、エリア情報によって４つの頂点それぞれの緯度・経度により示される長方形に含まれる（長方形の内側にある）レコード、すなわちＰＯＩを特定する。特定部１１が特定するＰＯＩは一つであってもよいし、複数であってもよい。特定部１１は、特定したＰＯＩに関するＰＯＩ特定情報（例えば、ＰＯＩ名称）を算出部１２に出力する。なお、特定部１１は、対象エリアに含まれるＰＯＩがなかった場合、すなわちＰＯＩを特定できなかった場合、ＰＯＩを特定できなかった旨の情報を算出部１２に出力する。
【００２１】
算出部１２は、特定部１１によって特定されたＰＯＩに対応付けられたＰＯＩ人気度に基づいて対象エリアの人気度を算出する。具体的には、算出部１２は、特定部１１からＰＯＩ特定情報を入力すると、ＰＯＩ特定情報が示すＰＯＩそれぞれのＰＯＩ人気度を、ＰＯＩ人気度格納部２２によって格納されたＰＯＩ人気度情報から抽出する。例えば、算出部１２は、特定部１１から入力されたＰＯＩ特定情報がＰＯＩ名称「ＡＢＣショッピングモール」であった場合、図４（ａ）に示すＰＯＩ人気度情報を参照し、当該ＰＯＩ名称に対応付けられたＰＯＩ人気度「０．５」を抽出する。続いて、算出部１２は、抽出した一つ以上のＰＯＩ人気度に基づいて対象エリアの人気度を算出する。例えば、算出部１２は、抽出した一つ以上のＰＯＩ人気度を加算した合計値を算出し、算出した合計値を対象エリアの人気度として算出してもよい。また、算出部１２は、エリア人気度算出装置１に予め格納された、合計値と人気度との対応関係が定められた対応テーブルを参照し、算出した合計値に対応する人気度を抽出し、抽出した人気度を対象エリアの人気度として算出してもよい。算出部１２は、算出した対象エリアの人気度を、エリア人気度算出装置１の別の機能ブロックに出力したり、ネットワークを介してクライアント端末に出力したり、ネットワークを介して別の装置に出力したりしてもよい。算出部１２は、算出部１２から、ＰＯＩを特定できなかった旨の情報を入力すると、エラーを出力したり、処理を中止したりしてもよい。
【００２２】
図５は、本第１実施形態に係るエリア人気度算出装置１で実行される処理（エリア人気度算出方法）を示すフローチャートである。まず、取得部１０により、地図上のエリアを示すエリア情報が取得される（ステップＳ１）。次に、特定部１１により、Ｓ１にて取得されたエリア情報が示す対象エリアに含まれるＰＯＩが特定される（ステップＳ２）。次に、算出部１２により、Ｓ２にて特定されたＰＯＩに対応付けられたＰＯＩ人気度に基づいて対象エリアの人気度が算出される（ステップＳ３）。
【００２３】
次に、本第１実施形態のように構成されたエリア人気度算出装置１の作用効果について説明する。
【００２４】
本第１実施形態のエリア人気度算出装置１によれば、地図上のエリアの人気度を算出することができる。また、エリアに含まれるＰＯＩに対応付けられたＰＯＩ人気度に基づいてエリアの人気度を算出するため、例えば、ＰＯＩ人気度が高いＰＯＩを含むエリアの人気度は高くなり、ＰＯＩ人気度が低いＰＯＩを含むエリアの人気度は低くなる等、エリアのより正確な人気度を算出することができる。
【００２５】
［第２実施形態］
図６は、第２実施形態に係るエリア人気度算出装置１Ａの機能ブロック図である。図６に示す通り、エリア人気度算出装置１Ａは、取得部１０Ａ、特定部１１Ａ、算出部１２Ａ、表示部１３Ａ、ＰＯＩカテゴリマスタ格納部２０Ａ、ＰＯＩマスタ格納部２１Ａ、ＰＯＩ人気度格納部２２Ａ、イベントカテゴリマスタ３０Ａ及びイベント情報格納部３１Ａを含んで構成される。なお、エリア人気度算出装置１Ａ、取得部１０Ａ、特定部１１Ａ、算出部１２Ａ、ＰＯＩカテゴリマスタ格納部２０Ａ、ＰＯＩマスタ格納部２１Ａ及びＰＯＩ人気度格納部２２Ａは、それぞれ、第１実施形態のエリア人気度算出装置１、取得部１０、特定部１１、算出部１２、ＰＯＩカテゴリマスタ格納部２０、ＰＯＩマスタ格納部２１及びＰＯＩ人気度格納部２２と同様であり、本第２実施形態では差分についてのみ説明する。
【００２６】
イベントカテゴリマスタ３０Ａは、イベントのカテゴリ（イベントカテゴリ）のマスタデータのテーブルデータであるイベントカテゴリマスタを格納する。イベントとは、ＰＯＩで実施されている催し又は行事である。なお、「実施されている」とは、現在実施されていることのみを指してもよいし、過去に実施済みであること及び未来に実施予定であることの少なくとも一方を含めて指してもよい。図７は、イベントカテゴリマスタ３０Ａによって格納された、イベントカテゴリマスタのテーブル例を示す図である。図７に示すテーブル例の通り、イベントカテゴリマスタは、イベントカテゴリの名称（イベントカテゴリ名称）を含む。イベントカテゴリの名称の具体例として、図７に示すテーブル例の通り、「展示会」、「セール」、「舞台芸術」及び「音楽」等が挙げられる。
【００２７】
イベント情報格納部３１Ａは、イベントのテーブルデータであるイベント情報を格納する。図８は、イベント情報のテーブル例を示す図である。図８に示すテーブル例の通り、イベント情報は、イベントの名称（イベント名称）、当該イベントの開始日時、当該イベントの終了日時、当該イベントのイベントカテゴリ、及び当該イベントを実施（開催）しているＰＯＩ（開催ＰＯＩ）を対応付けて含む。なお、イベント情報に含まれるイベントカテゴリは、上述のイベントカテゴリマスタのイベントカテゴリ名称に紐付き、イベント情報に含まれる開催ＰＯＩは、ＰＯＩマスタ格納部２１Ａによって格納されるＰＯＩマスタのＰＯＩ名称に紐付く。例えば、図８に示すイベント情報の１レコード目は、イベント名称が「ＡＢＣ展」であり、イベントカテゴリが「展示会」であるイベントが、「ＡＢＣショッピングモール」にて、「２０１８年１月１５日１０時」から「２０１８年２月１５日１０時」まで開催されていることを示す。
【００２８】
特定部１１Ａは、取得部１０Ａによって取得（出力）されたエリア情報が示す対象エリア内で実施されているイベントをさらに特定する。具体的には、特定部１１Ａは、対象エリアに含まれるＰＯＩを特定した後に、イベント情報格納部３１Ａによって格納されたイベント情報のうち、開催ＰＯＩが、特定したＰＯＩと一致するレコード、すなわちイベントを特定する。特定部１１Ａが特定するイベントは一つであってもよいし、複数であってもよい。特定部１１Ａは、特定したイベントに関するイベント特定情報（例えば、イベント名称）を算出部１２Ａに出力する。なお、特定部１１Ａは、対象エリアに含まれるイベントがなかった場合、すなわちイベントを特定できなかった場合、イベントを特定できなかった旨の情報を算出部１２Ａに出力する。
【００２９】
算出部１２Ａは、特定部１１Ａによって特定されたイベントにさらに基づいて人気度を算出する。すなわち、算出部１２Ａは、特定部１１Ａによって特定されたＰＯＩに対応付けられたＰＯＩ人気度と、特定部１１Ａによって特定されたイベントとに基づいて対象エリアの人気度を算出する。算出部１２Ａは、イベントの件数を、イベントそれぞれが実施されているＰＯＩに対応づけられているＰＯＩ人気度に基づく重み付けを行って算出し、算出された件数に基づいて人気度を算出してもよい。例えば、特定部１１Ａによって特定されたＰＯＩが「ＡＢＣショッピングモール」及び「１２３会館」、特定部１１Ａによって特定されたイベントが「ＡＢＣ展」、「１２３キャンペーン」及び「ｘｙｚ劇団公演」であった場合、算出部１２Ａは、イベント情報格納部３１Ａによって格納された図８に示すイベント情報を参照し、ＰＯＩ「ＡＢＣショッピングモール」で実施されているイベント「ＡＢＣ展」及び「１２３キャンペーン」の２件に対し、ＰＯＩ「ＡＢＣショッピングモール」に対応付けられているＰＯＩ人気度「０．５」（ＰＯＩ人気度格納部２２Ａによって格納された図４（ａ）に示すＰＯＩ人気度情報を参照することで抽出する）を乗算（重み付け）し、同様にして、ＰＯＩ「１２３会館」で実施されているイベント「ｘｙｚ劇団公演」の１件に対し、ＰＯＩ「１２３会館」に対応付けられているＰＯＩ人気度「０．２」を乗算し、件数を算出する。すなわち、算出部１２Ａは、式「２＊０．５＋１＊０．２」により、件数「１．２」を算出する。続いて、算出部１２Ａは、算出した件数「１．２」に基づいて人気度を算出する。
【００３０】
算出部１２Ａは、重み付けを行う際に、イベントそれぞれが実施されている期間の各日に対応づけられているＰＯＩ人気度に基づく重み付けを行ってもよい。例えば、ＰＯＩ「１２３会館」で３日間実施されている１件のイベント「ｘｙｚ劇団公演」について、ＰＯＩ「１２３会館」の１日目のＰＯＩ人気度が「０．３」、２日目のＰＯＩ人気度が「０．８」、３日目のＰＯＩ人気度が「０．７」である場合（ＰＯＩ人気度格納部２２Ａによって格納された図４（ｂ）に示すＰＯＩ人気度情報を参照することで抽出する）、算出部１２Ａは、例えば、式「１＊（０．３＋０．８＋０．７）／３」により、件数「０．６」を算出する。
【００３１】
また、算出部１２Ａは、各日ごとではなく、後述の第３実施形態のように、時期（月、四半期、平日、祝日）ごとに対応付けられているＰＯＩ人気度に基づく重み付けを行ってもよい。そして、算出部１２Ａは、イベントが複数日にわたる場合は、実施期間における平日、祝日の割合や、属する月の日数の割合に応じて、ＰＯＩ人気度を按分して加算する。
【００３２】
算出部１２Ａは、イベントのカテゴリごとに人気度を算出してもよい。例えば、算出部１２Ａは、イベント情報格納部３１Ａによって格納された図８に示すイベント情報のイベントカテゴリを参照し、当該イベントカテゴリごとに上述の人気度の算出をわけて行う。
【００３３】
表示部１３Ａは、算出部１２Ａによって算出された人気度に基づく表示を行う。表示部１３は、算出された件数に応じた表示を行ってもよい。表示部１３は、イベントが実施されている期間に関する情報をさらに表示してもよい。表示部１３は、所定の基準より高いＰＯＩ人気度が対応付けられたＰＯＩに関する情報を表示してもよい。図９は、人気度に基づく表示の表示例を示す図である。図９において、Ｄは対象エリアを示し、Ｔ１及びＰ１の組、Ｔ２及びＰ２の組、並びにＴ３及びＰ３の組は、算出部１２Ａによって算出された、イベントのカテゴリごとの人気度のうち上位３位の人気度を有するカテゴリに関する情報を示す。Ｔ１及びＰ１の組は１位の人気度で、カテゴリ「展示会」に関する情報を示す。Ｔ２及びＰ２の組は３位の人気度で、カテゴリ「舞台芸術」に関する情報を示す。Ｔ３及びＰ３の組は２位の人気度で、カテゴリ「音楽」に関する情報を示す。Ｐ１〜Ｐ３内には、それぞれのカテゴリに関連する写真が含まれ、Ｔ１〜Ｔ３内には、それぞれのカテゴリに関連する文字情報が含まれる。
【００３４】
ここで、表示部１３は、算出された（重み付け後の）件数に応じて、Ｐ１〜Ｐ３の円の大きさは変えている。すなわち、表示部１３は、算出された件数が多いほど、円の大きさを大きく表示している。また、Ｐ２内にはバームクーヘン状の４つの図形が描かれ、そのうちの３つの図形は色付けられている。これは、Ｐ２のカテゴリ内のイベントで最も直近のイベントの実施期間について、すでに４分の３が終了したこと、すなわち終了期限を意味している。すなわち、表示部１３は、イベントが実施されている期間に関する情報をさらに表示している。また、Ｔ１内では、所定の基準より高いＰＯＩ人気度が対応付けられたＰＯＩで実施されているイベントに関する投稿情報が代表として表示されている。すなわち、表示部１３は、所定の基準より高いＰＯＩ人気度が対応付けられたＰＯＩに関する情報を表示している。
【００３５】
図１０は、本第２実施形態に係るエリア人気度算出装置１Ａで実行される処理（エリア人気度算出方法）を示すフローチャートである。まず、取得部１０Ａにより、地図上のエリアを示すエリア情報が取得される（ステップＳ１Ａ）。次に、特定部１１Ａにより、Ｓ１Ａにて取得されたエリア情報が示す対象エリアに含まれるＰＯＩが特定される（ステップＳ２Ａ）。次に、特定部１１Ａにより、対象エリアで実施されているイベントが特定される（ステップＳ３Ａ）。次に、算出部１２Ａにより、Ｓ２Ａにて特定されたＰＯＩに対応付けられたＰＯＩ人気度と、Ｓ３Ａにて特定されたイベントとに基づいて対象エリアの人気度が算出される（ステップＳ４Ａ）。次に、表示部１３Ａにより、Ｓ４Ａにて算出された人気度に基づく表示が行われる（ステップＳ５Ａ）。
【００３６】
次に、本第２実施形態のように構成されたエリア人気度算出装置１Ａの作用効果について説明する。
【００３７】
本第２実施形態のエリア人気度算出装置１Ａによれば、特定部１１Ａは、対象エリア内で実施されているイベントをさらに特定し、算出部１２Ａは、特定部１１Ａによって特定されたイベントにさらに基づいて人気度を算出する。これにより、対象エリア内で実施されているイベントにさらに基づいて人気度が算出されるため、当該イベントを加味したエリアのより正確な人気度を算出することができる。
【００３８】
また、本第２実施形態のエリア人気度算出装置１Ａによれば、算出部１２Ａは、イベントの件数を、イベントそれぞれが実施されているＰＯＩに対応づけられているＰＯＩ人気度に基づく重み付けを行って算出し、算出された件数に基づいて人気度を算出する。このように、イベントそれぞれが実施されているＰＯＩに対応づけられているＰＯＩ人気度に基づく重み付けが行われて算出されるため、例えば人気の高いＰＯＩがより重みを持って人気度に反映される等、ユーザの実感に近いより正確なエリアの人気度を算出することができる。
【００３９】
また、本第２実施形態のエリア人気度算出装置１Ａによれば、ＰＯＩ人気度は、日ごとに対応付けられており、算出部１２Ａは、重み付けを行う際に、イベントそれぞれが実施されている期間の各日に対応づけられているＰＯＩ人気度に基づく重み付けを行う。これにより、日ごとのＰＯＩ人気度を加味したエリアのより正確な人気度を算出することができる。
【００４０】
また、本第２実施形態のエリア人気度算出装置１Ａによれば、算出部１２Ａによって算出された人気度に基づく表示を行う表示部１３Ａをさらに備え、表示部１３Ａは、算出された件数に応じた表示を行う。これにより、例えば、算出された件数が多いほど、すなわちより人気が高いほど、表示を目立たせる等、ユーザにとって有益な表示を行うことができる。
【００４１】
また、本第２実施形態のエリア人気度算出装置１Ａによれば、算出部１２Ａによって算出された人気度に基づく表示を行う表示部１３Ａをさらに備え、表示部１３Ａは、イベントが実施されている期間に関する情報をさらに表示する。これにより、例えばユーザはイベントが実施されている期間を容易に知ることができる等、ユーザにとって有益な表示を行うことができる。
【００４２】
また、本第２実施形態のエリア人気度算出装置１Ａによれば、算出部１２Ａは、イベントのカテゴリごとに人気度を算出する。これにより、カテゴリごとにエリアの人気度を算出することができるため、ユーザにとって有益な表示を行うことができる。
【００４３】
また、本第２実施形態のエリア人気度算出装置１Ａによれば、算出部１２Ａによって算出された人気度に基づく表示を行う表示部１３Ａをさらに備え、表示部１３Ａは、所定の基準より高いＰＯＩ人気度が対応付けられたＰＯＩに関する情報を表示する。これにより、例えばユーザは高いＰＯＩ人気度が対応付けられたＰＯＩに関する情報を容易に知ることができる等、ユーザにとって有益な表示を行うことができる。
【００４４】
［第３実施形態］
図１１は、第３実施形態に係るエリア人気度算出装置１Ｂの機能ブロック図である。図１１に示す通り、エリア人気度算出装置１Ｂは、取得部１０Ｂ、特定部１１Ｂ、算出部１２Ｂ、表示部１３Ｂ、ＰＯＩカテゴリマスタ格納部２０Ｂ、ＰＯＩマスタ格納部２１Ｂ及びＰＯＩ人気度格納部２２Ｂを含んで構成される。なお、エリア人気度算出装置１Ｂ、取得部１０Ｂ、特定部１１Ｂ、算出部１２Ｂ、ＰＯＩカテゴリマスタ格納部２０Ｂ、ＰＯＩマスタ格納部２１Ｂ及びＰＯＩ人気度格納部２２Ｂは、それぞれ、第１実施形態のエリア人気度算出装置１、取得部１０、特定部１１、算出部１２、ＰＯＩカテゴリマスタ格納部２０、ＰＯＩマスタ格納部２１及びＰＯＩ人気度格納部２２と同様であり、本第３実施形態では差分についてのみ説明する。
【００４５】
算出部１２Ｂは、ＰＯＩの件数を、ＰＯＩそれぞれの所定の時期に対応付けられたＰＯＩ人気度に基づく重み付けを行って算出し、算出された件数に基づいて人気度を算出する。より具体的には、算出部１２Ｂは、特定部１１Ｂによって特定されたＰＯＩの件数を、ＰＯＩそれぞれの所定の時期に対応付けられたＰＯＩ人気度（ＰＯＩ人気度格納部２２Ｂによって格納された図４（ｃ）に示すＰＯＩ人気度情報を参照することで抽出する）に基づく重み付けを行って算出し、算出された件数に基づいて人気度を算出する。ＰＯＩ人気度格納部２２Ｂによって格納された図４（ｃ）に示すＰＯＩ人気度情報のように、ＰＯＩ人気度は時期（月、四半期、平日、祝日等）ごとに別で持っている。
【００４６】
表示部１３Ｂは、算出部１２Ｂによって算出された人気度に基づく表示を行う。表示部１３Ｂは、算出された件数に応じた表示を行ってもよい。表示部１３は、所定の基準より高いＰＯＩ人気度が対応付けられたＰＯＩに関する情報を表示してもよい。上述の第２実施形態の説明と同様のため、説明を省略する。
【００４７】
図１２は、本第３実施形態に係るエリア人気度算出装置１Ｂで実行される処理（エリア人気度算出方法）を示すフローチャートである。まず、取得部１０Ｂにより、地図上のエリアを示すエリア情報が取得される（ステップＳ１Ｂ）。次に、特定部１１Ｂにより、Ｓ１Ｂにて取得されたエリア情報が示す対象エリアに含まれるＰＯＩが特定される（ステップＳ２Ｂ）。次に、算出部１２Ｂにより、Ｓ２Ｂにて特定されたＰＯＩの件数が、ＰＯＩそれぞれの所定の時期に対応付けられたＰＯＩ人気度に基づく重み付けを行って算出され、算出された件数に基づいて人気度が算出される（ステップＳ３Ｂ）。次に、表示部１３Ｂにより、Ｓ３Ｂにて算出された人気度に基づく表示が行われる（ステップＳ４Ｂ）。
【００４８】
次に、本第３実施形態のように構成されたエリア人気度算出装置１Ｂの作用効果について説明する。
【００４９】
本第３実施形態のエリア人気度算出装置１Ｂによれば、ＰＯＩ人気度は、時期ごとに対応付けられており、算出部１２Ｂは、ＰＯＩの件数を、ＰＯＩそれぞれの所定の時期に対応付けられたＰＯＩ人気度に基づく重み付けを行って算出し、算出された件数に基づいて人気度を算出する。これにより、（ＰＯＩ人気度が変わる）時期ごとのＰＯＩ人気度を加味したエリアのより正確な人気度を算出することができる。
【００５０】
以上の通り、エリア人気度算出装置１、エリア人気度算出装置１Ａ及びエリア人気度算出装置１Ｂでは、ＰＯＩ数やイベント数に対し、ＰＯＩ人気度を重みとして乗ずることで、人気の高いＰＯＩやイベントがより重みを持って反映されることになる。これにより、人気度が低いＰＯＩやイベントの重みが小さくなることで、より特徴的なＰＯＩジャンルやイベントが上位になる等、ユーザの実感により近い人気度を算出することができる。
【００５１】
なお、第１実施形態、第２実施形態及び第３実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５２】
例えば、第１実施形態、第２実施形態及び第３実施形態におけるエリア人気度算出装置１、エリア人気度算出装置１Ａ及びエリア人気度算出装置１Ｂなどは、本発明の一実施の形態に係るエリア人気度算出方法の処理を行うコンピュータとして機能してもよい。図１３は、第１実施形態、第２実施形態及び第３実施形態に係るエリア人気度算出装置１、エリア人気度算出装置１Ａ及びエリア人気度算出装置１Ｂのハードウェア構成の一例を示す図である。上述のエリア人気度算出装置１、エリア人気度算出装置１Ａ及びエリア人気度算出装置１Ｂは、物理的には、プロセッサ１００１、メモリ１００２、ストレージ１００３、通信装置１００４、入力装置１００５、出力装置１００６、バス１００７などを含むコンピュータ装置として構成されてもよい。
【００５３】
なお、以下の説明では、「装置」という文言は、回路、デバイス、ユニットなどに読み替えることができる。エリア人気度算出装置１、エリア人気度算出装置１Ａ及びエリア人気度算出装置１Ｂのハードウェア構成は、図に示した各装置を１つ又は複数含むように構成されてもよいし、一部の装置を含まずに構成されてもよい。
【００５４】
エリア人気度算出装置１、エリア人気度算出装置１Ａ及びエリア人気度算出装置１Ｂにおける各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の取得部１０・取得部１０Ａ・取得部１０Ｂ、特定部１１・特定部１１Ａ・特定部１１Ｂ、算出部１２・算出部１２Ａ・算出部１２Ｂ、及び表示部１３Ａ・表示部１３Ｂなどは、プロセッサ１００１で実現されてもよい。
【００５６】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、取得部１０・取得部１０Ａ・取得部１０Ｂ、特定部１１・特定部１１Ａ・特定部１１Ｂ、算出部１２・算出部１２Ａ・算出部１２Ｂ、及び表示部１３Ａ・表示部１３Ｂは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、第１実施形態、第２実施形態及び第３実施形態に係るエリア人気度算出方法を実施するために実行可能なプログラム（プログラムコード）、ソフトウェアモジュールなどを保存することができる。
【００５８】
ストレージ１００３は、コンピュータ読み取り可能な記録媒体であり、例えば、ＣＤ−ＲＯＭ（Compact  Disc  ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、取得部１０・取得部１０Ａ・取得部１０Ｂなどは、通信装置１００４で実現されてもよい。
【００６０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００６１】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６２】
また、エリア人気度算出装置１、エリア人気度算出装置１Ａ及びエリア人気度算出装置１Ｂは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６３】
情報の通知は、本明細書で説明した態様／実施形態に限られず、他の方法で行われてもよい。
【００６４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６６】
情報等は、上位レイヤ（または下位レイヤ）から下位レイヤ（または上位レイヤ）へ出力され得る。複数のネットワークノードを介して入出力されてもよい。
【００６７】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００６８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７４】
なお、本明細書で説明した用語及び／又は本明細書の理解に必要な用語については、同一の又は類似する意味を有する用語と置き換えてもよい。
【００７５】
本明細書で使用する「システム」および「ネットワーク」という用語は、互換的に使用される。
【００７６】
また、本明細書で説明した情報、パラメータなどは、絶対値で表されてもよいし、所定の値からの相対値で表されてもよいし、対応する別の情報で表されてもよい。
【００７７】
上述したパラメータに使用する名称はいかなる点においても限定的なものではない。さらに、これらのパラメータを使用する数式等は、本明細書で明示的に開示したものと異なる場合もある。
【００７８】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００７９】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８１】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８２】
上記の各装置の構成における「手段」を、「部」、「回路」、「デバイス」等に置き換えてもよい。
【００８３】
「含む（including）」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００８４】
本開示の全体において、例えば、英語でのa、an及びtheのように、翻訳により冠詞が追加された場合、これらの冠詞は、文脈から明らかにそうではないことが示されていなければ、複数のものを含むものとする。
【符号の説明】
【００８５】
１・１Ａ・１Ｂ…エリア人気度算出装置、１０・１０Ａ・１０Ｂ…取得部、１１・１１Ａ・１１Ｂ…特定部、１２・１２Ａ・１２Ｂ…算出部、１３Ａ・１３Ｂ…表示部、２０・２０Ａ・２０Ｂ…ＰＯＩカテゴリマスタ格納部、２１・２１Ａ・２１Ｂ…ＰＯＩマスタ格納部、２２・２２Ａ・２２Ｂ…ＰＯＩ人気度格納部、３０Ａ…イベントカテゴリマスタ、３１Ａ…イベント情報格納部。
【図１】
2019207961.tif 000003
【図２】
2019207961.tif 000004
【図３】
2019207961.tif 000005
【図４】
2019207961.tif 000006
【図５】
2019207961.tif 000007
【図６】
2019207961.tif 000008
【図７】
2019207961.tif 000009
【図８】
2019207961.tif 000010
【図９】
2019207961.tif 000011
【図１０】
2019207961.tif 000012
【図１１】
2019207961.tif 000013
【図１２】
2019207961.tif 000014
【図１３】
2019207961.tif 000015
【国際調査報告】
2019207961.tif 000016
2019207961.tif 000017